(57)【要約】      （修正有）【課題】ゲルマニウム含有金属を装着する下着を提供する。【解決手段】ゲルマニウム含有金属を装着する下着１は、下着１内表面１０に少なくとも１個の設置部位１１を設置し、しかも設置部位１１は人体のツボに対応し、設置部位１１には少なくとも１個の作用部品Ａを設置し、作用部品Ａはゲルマニウム含有金属部品３を含む。【選択図】図１
0003173505.tif 000002
【実用新案登録請求の範囲】
【請求項１】
下着内表面に、少なくとも１個の設置部位を設置し、しかも前記設置部位には、
少なくとも１個の作用部品を設置し、前記設置部位には、作用部品を結合し、
前記作用部品は、装着用部品とゲルマニウム含有金属部品により構成し、
前記装着用部品は、布層を底部とし、前記下着内表面に接着して設置し、
前記布層の中央には、ケーシングを突出状に設置し、
前記ケーシングは、収容室を備え、ゲルマニウム含有金属部品は、前記ケーシングの収容室内に設置することを特徴とするゲルマニウム含有金属を装着する下着。
【請求項２】
前記ゲルマニウム含有金属部品は、ゲルマニウム元素を含む金属部品により構成することを特徴とする請求項１に記載のゲルマニウム含有金属を装着する下着。
【請求項３】
前記ゲルマニウム含有金属部品は、ゲルマニウム元素を含む金属片体により構成することを特徴とする請求項１に記載のゲルマニウム含有金属を装着する下着。
【請求項４】
前記ゲルマニウム含有金属部品は、ゲルマニウム元素を含む金属粒により構成することを特徴とする請求項１に記載のゲルマニウム含有金属を装着する下着。
【請求項５】
下着内表面に、少なくとも１個の設置部位を設置し、
前記設置部位は、人体のツボに対応し、しかも前記設置部位には、少なくとも１個の作用部品を設置し、前記作用部品は、前記下着内表面に編織して形成する管状の編織ケーシング、及びゲルマニウム含有金属部品により構成し、前記編織ケーシングは、収容室を備え、
前記ゲルマニウム含有金属部品は、前記編織ケーシングの収容室内に設置することを特徴とするゲルマニウム含有金属を装着する下着。
【請求項６】
前記ゲルマニウム含有金属部品は、ゲルマニウム元素を含む金属部品により構成することを特徴とする請求項５に記載のゲルマニウム含有金属を装着する下着。
【請求項７】
前記ゲルマニウム含有金属部品は、ゲルマニウム元素を含む金属片体により構成することを特徴とする請求項５に記載のゲルマニウム含有金属を装着する下着。
【請求項８】
前記ゲルマニウム含有金属部品は、ゲルマニウム元素を含む金属粒により構成することを特徴とする請求項５に記載のゲルマニウム含有金属を装着する下着。
【考案の詳細な説明】
【技術分野】
【０００１】
本考案はゲルマニウム含有金属を装着する下着に関し、特に人体重要部位の養生と保護に優れ、人体内電子のプラスとマイナスのバランスを取り、これにより人体の関連するツボと器官部位の血行促進が期待でき、天然保健効果を達成し、関連する病変の発生予防が期待できるゲルマニウム含有金属を装着する下着に関する。
【背景技術】
【０００２】
生活形態と習慣の変化で、現代人がコンピューターの前に座っている時間は、一日の極めて多くの部分を占めるようになっている。
これに長期間の運動不足が加わった結果、血行の悪い人が多く、これに伴い免疫力も低下している。
そのため、泌尿器系統、生殖器系統、脊椎末端部などのツボに関する病変、或いは他の血行不良が引き起こす病変の発症が低年齢化している。
【０００３】
上記のような状況に対処するため、現代人の多くは、食事療法、或いは薬物療法の方式により、関連部位器官の機能改善を期して、さまざまな栄養素や薬効を含む健康食品を利用し、体質の改善を図ろうとしている。
しかし、この種の方式は、長期的に大金を投じる必要がある一方、積極的及び主動的な効果に欠けている。
しかも、これら健康食品の食用を停止すれば、効果の持続は難しい。
よって、健康食品に頼った養生方式は、自発的な天然保健効果への道とはいえない。
【０００４】
天然保健効果へのニーズに応えるため、近年、優れた天然保健効果のひとつであるゲルマニウム金属を身に着ける方式が流行している。
それは、ゲルマニウム元素の物理特性を利用するものである。
温度が32℃の時、ゲルマニウム原子の最も外側にある４個のマイナス電子の内の１個は自動的に軌道を離脱する。
該マイナス電子が離脱する時、大気中から新しいマイナス電子が１個補給され、この特性により絶えず遊離する。
よって、該マイナス電子の遊離作用により、人体内電子のマイナスとプラスのバランスをとることが期待できる。
しかも、ゲルマニウム元素そのものも、電磁波を隔離及び中和する特性を備える。
これら特性に基づき、人体の関連ツボ及び部位のプラス/マイナス電子のバランスをとり、血行を促進することが期待できる。
これにより、身体の対応する部位の健康を強化し、器官の機能を活性化し、病変の発生を予防することが期待できる。
【０００５】
上記したように、ゲルマニウム元素の効用は各界に広く知られている。
しかし、身体の関連する部位に全面的に装着するには、実施上の困難が存在する。
そのため、現在のところ、装着できる位置は、手、足、首に限られている。
よって、業界では、ゲルマニウム元素の使用範囲を人体の重要なツボ及び部位に広げようと、積極的な研究が行われている。
これにより、ゲルマニウム元素と繊維により編織するゲルマニウムファブリックが開発された。しかし、該ゲルマニウムファブリックは、ゲルマニウム元素を結合させてはいるが、ナノ化のプロセスにより、各単位面積当たりのゲルマニウム元素の実際の含有量は、極く微量である。しかも、実際の測定により、この種のゲルマニウムファブリックは、ゲルマニウム原子を遊離させる効果を完全に達成できないことが分かった。
そのため、人体内のプラス/マイナス電子のバランスをとることはできず、すなわち天然保健効果のニーズに応えることはできない。
本考案は、従来のゲルマニウムファブリックの上記した欠点に鑑みてなされたものである。
【考案の概要】
【考案が解決しようとする課題】
【０００６】
本考案が解決しようとする課題は、人体内のプラス/マイナス電子のバランスをとり、人体の関連ツボ及び器官部位の血行促進が期待でき、天然保健効果を達成し、関連病変の発生を予防することが期待できるゲルマニウム含有金属を装着する下着を提供することである。
【課題を解決するための手段】
【０００７】
上記課題を解決するため、本考案は下記のゲルマニウム含有金属を装着する下着を提供する。ゲルマニウム含有金属を装着する下着は、下着内表面に、少なくとも１個の設置部位を設置し、該設置部位は、人体のツボ(人体下半身の泌尿器官、生殖器官、脊椎末端部位、及び人体上半身の乳房、腋下リンパ腺などのツボ)に対応し、しかも該設置部位には、少なくとも１個の作用部品を設置し、該作用部品は、ゲルマニウム含有金属部品を含み、該ゲルマニウム含有金属部品の物理特性を利用し、人体内のプラス/マイナス電子のバランスをとり、これにより、人体の関連するツボと器官部位の血行促進が期待でき、天然保健効果を達成し、関連する病変の発生を予防することが期待でき、
該下着は、アンダーパンツ、アンダーウェア、ブラジャーなどの身体に直接接触する下着で、該作用部品は、装着用部品とゲルマニウム含有金属部品により構成し、
該装着用部品は、下着内表面の設置部位に設置し、該装着用部品には、ケーシングを設置し、該ケーシングは、収容室を備え、該ゲルマニウム含有金属部品を収容設置し、該作用部品は、下着内表面に編織して形成する管状の編織ケーシング、及びゲルマニウム含有金属部品により構成し、該編織ケーシングは、収容室を備え、該ゲルマニウム含有金属部品を収容設置し、該ゲルマニウム含有金属部品は、ゲルマニウム元素を含む金属部品により構成し、該ゲルマニウム含有金属部品は、ゲルマニウム元素を含む金属片により構成し、該ゲルマニウム含有金属部品は、ゲルマニウム元素を含む金属粒により構成する。
【考案の効果】
【０００８】
本考案のゲルマニウム含有金属を装着する下着は、人体内のプラス/マイナス電子のバランスをとり、人体の関連ツボ及び器官部位の血行促進が期待でき、天然保健効果を達成し、関連病変の発生を予防することが期待できる。
【図面の簡単な説明】
【０００９】
【図１】本考案をアンダーパンツに実施する第一実施例の立体分解模式図である。
【図２】本考案をアンダーパンツに実施する第一実施例の立体模式図である。
【図３】本考案の局部断面模式図(一)である。
【図４】本考案の局部断面模式図(二)である。
【図５】本考案の局部断面模式図(三)である。
【図６】本考案をアンダーパンツに実施する第二実施例の立体分解模式図である。
【図７】本考案第二実施例の立体模式図である。
【図８】本考案第二実施例の局部断面模式図(一)である。
【図９】本考案第二実施例の局部断面模式図(二)である。
【図１０】本考案第二実施例の局部断面模式図(三)である。
【図１１】本考案をブラジャーに実施する実施例の立体分解模式図である。
【図１２】本考案の人体下半身正面に対する作用を示す模式図である。
【図１３】本考案の人体下半身背面に対する作用を示す模式図である。
【図１４】本考案の人体胸部に対する作用を示す模式図である。
【考案を実施するための形態】
【００１０】
以下に図面を参照しながら本考案を実施するための最良の形態について詳細に説明する。
【００１１】
図１、２は、本考案ゲルマニウム含有金属を装着する下着１をアンダーパンツに実施する実施例を示す。
下着１内表面１０には、少なくとも１個の設置部位１１を設置する。
設置部位１１は、人体のツボ(人体下半身の泌尿器官、生殖器官、脊椎末端部位などのツボなど)に対応する。設置部位１１には、作用部品Aを結合する。
作用部品Aは、装着用部品２とゲルマニウム含有金属部品３により構成する。
【００１２】
装着用部品２は、布層２０を底部とし、下着１内表面１０に接着して設置する(ミシン縫いの方式、或いは粘着方式を利用し、装着用部品２を、下着１内表面１０に接着して設置する)。
布層２０の中央には、ケーシング２１を突出状に設置する。
ケーシング２１は、収容室２１０を備える。
ゲルマニウム含有金属部品３は、ケーシング２１の収容室２１０内に設置する。
【００１３】
図３に示すように、上記したゲルマニウム含有金属部品３は、ゲルマニウム元素を含む金属部品により構成する。
ゲルマニウム含有金属部品３は、たわみ性を備える金属部品である。
【００１４】
図４に示すように、上記したゲルマニウム含有金属部品３’は、ゲルマニウム元素を含む金属片体により構成する。
【００１５】
図５に示すように、上記したゲルマニウム含有金属部品３”は、少なくとも１個のゲルマニウム元素を含む金属粒により構成する。
【００１６】
図６、７は、本考案をアンダーパンツに実施する第二実施例を示す。
本考案のゲルマニウム含有金属を装着する下着１は、下着１内表面１０に、少なくとも１個の設置部位１１を設置する。
設置部位１１は、人体のツボ(人体下半身の泌尿器官、生殖器官、脊椎末端部位などのツボなど)に対応する。設置部位１１には、作用部品A’を結合する。
作用部品A’は、下着１内表面１０に編織して形成する管状の編織ケーシング１２、及びゲルマニウム含有金属部品３により構成する。編織ケーシング１２は、収容室１２１を備える。ゲルマニウム含有金属部品３は、編織ケーシング１２の収容室１２１内に設置する。
【００１７】
図８に示すように、上記したゲルマニウム含有金属部品３は、ゲルマニウム元素を含む金属部品により構成する。
ゲルマニウム含有金属部品３は、たわみ性を備える金属部品である。
【００１８】
図９に示すように、上記したゲルマニウム含有金属部品３’は、ゲルマニウム元素を含む金属片体により構成する。
【００１９】
図１０に示すように、上記したゲルマニウム含有金属部品３”は、少なくとも１個のゲルマニウム元素を含む金属粒により構成する。
【００２０】
図１１は、本考案をブラジャーに実施する実施例を示す。
下着４は、ブラジャーである。
下着４内表面４０には、少なくとも１個の設置部位４１を設置する。
設置部位４１は、人体のツボ(乳房、胸腺、腋下リンパ腺など部位)に対応する。
設置部位４１には、少なくとも１個の作用部品A、A”を結合する。
作用部品Aは、装着用部品２とゲルマニウム含有金属部品３により構成する。
【００２１】
装着用部品２は、布層２０を底部とし、下着４内表面４０に接着して設置する(ミシン縫いの方式、或いは粘着方式を利用し、装着用部品２を、下着４内表面４０に接着して設置する)。布層２０の中央には、ケーシング２１を突出状に設置する。
ケーシング２１は、収容室２１０を備える。
ゲルマニウム含有金属部品３は、ケーシング２１の収容室２１０内に設置する。
【００２２】
作用部品A”は、下着４内表面４０に編織して形成する管状の編織ケーシング４２、及び少なくとも１個のゲルマニウム含有金属部品３により構成する。
編織ケーシング４２は、収容室４２１を備える。
ゲルマニウム含有金属部品３は、編織ケーシング４２の収容室４２１内に設置する。
【００２３】
下着４は、ブラジャーで、下着４の設置部位４３１は、下着４のカップ内面４００が接着される胸パッド４３内に設置する。
胸パッド４３内には、少なくとも１個のゲルマニウム含有金属部品３を収容して設置する。
これにより、乳房ツボに対するプラス/マイナス電子のバランスを強化し、該部位の血行と活性化作用の促進が期待できる。
【００２４】
図１〜１１の各実施例に示すように、ゲルマニウム含有金属を装着する下着１、４は、アンダーパンツ、アンダーウェア、ブラジャーなど身体に直接接触する下着である。
ゲルマニウム含有金属部品３、３’、３”を収容して設置する位置は、設置部位１１、４１、４３１を設置する位置である。
設置部位１１、４１、４３１は、人体Pの重要器官のツボ(乳房、胸腺、腋下リンパ腺、泌尿器官、生殖器官、脊椎末端部位など)に対応する。
【００２５】
図１２は、人体下半身正面の泌尿器官、生殖器官に対する実施例を示す。
図１３は、人体下半身背面の脊椎末端部位に対する実施例を示す。
図１４は、人体胸部の胸腺、乳房、腋下リンパ腺に対する実施例を示す。
上記したように、ゲルマニウム含有金属部品３、３’、３”の有効作用区B範囲内において、ゲルマニウム元素電子の遊離効果を発揮することができる。
これにより、関連する部位のプラス/マイナス電子のバランスをとることが期待できる。
こうして、血行と活性化の促進が期待でき、天然保健効果を達成し、関連する病変の発生を予防することが期待できる。
【００２６】
本考案について、好ましい実施例を用いて前述の如く開示したが、本考案は、これらによって制限を受けないものとする。本技術の熟知者が本考案の精神と範囲を逸脱せずに変化及び修飾を加えることは可能であるが、本考案の保護範囲は、後述する実用新案登録請求の範囲に基づき定義されるため、合法的同等価値のある物は、前述の説明に制限されることなく保護範囲に含まれるものとする。
【符号の説明】
【００２７】
１      下着
１０    内表面
１１    設置部位
１２    編織ケーシング
１２１  収容室
２      装着用部品
２０    布層
２１    ケーシング
２１０  収容室
３、３’、３”  ゲルマニウム含有金属部品
４      下着
４０    内表面
４００  カップ内面
４１    設置部位
４２    編織ケーシング
４２１  収容室
４３    胸パッド
A、A’、A”  作用部品
B      有効作用区
P      人体
【図１】
0003173505.tif 000003
【図２】
0003173505.tif 000004
【図３】
0003173505.tif 000005
【図４】
0003173505.tif 000006
【図５】
0003173505.tif 000007
【図６】
0003173505.tif 000008
【図７】
0003173505.tif 000009
【図８】
0003173505.tif 000010
【図９】
0003173505.tif 000011
【図１０】
0003173505.tif 000012
【図１１】
0003173505.tif 000013
【図１２】
0003173505.tif 000014
【図１３】
0003173505.tif 000015
【図１４】
0003173505.tif 000016